(57)【要約】【課題】固定対象母材へのネジ部材の定着強度と耐久性をより高めるとともに、その定着強度の管理を容易にする。【解決手段】コンクリート等の固定対象母材Ｃに形成されるアンカー孔Ｂと、アンカー孔Ｂ内に差し入れられる本体雄ネジ部１３を有するネジ部材１０と、ネジ部材１０とアンカー孔Ｂの内面との間に介在する結合剤Ａとを備えたネジ部材の固定構造において、前記本体雄ネジ部１３の螺旋状のネジ山部１３ａによってアンカー孔Ｂの内面に形成された螺旋状のネジ溝Ｄにネジ山部１３ａが入り込み、且つ、ネジ部材１０の外面とアンカー孔Ｂの内面との間に結合剤Ａが介在して、ネジ部材１０が固定対象母材Ｃに固定されているネジ部材の固定構造とした。本体雄ネジ部１３に軸方向に沿って溝部２０が形成され、溝部２０に結合剤Ａが入り込んでいる。【選択図】図３
2016056571.tif 000002
【特許請求の範囲】
【請求項１】
コンクリート等の固定対象母材（Ｃ）に形成されるアンカー孔（Ｂ）と、前記アンカー孔（Ｂ）内に差し入れられる本体雄ネジ部（１３）を有するネジ部材（１０）と、前記ネジ部材（１０）とアンカー孔（Ｂ）の内面との間に介在する結合剤（Ａ）とを備え、
前記本体雄ネジ部（１３）の螺旋状のネジ山部（１３ａ）によって前記アンカー孔（Ｂ）の内面に形成された螺旋状のネジ溝（Ｄ）に前記ネジ山部（１３ａ）が入り込み、且つ、前記ネジ部材（１０）の外面とアンカー孔（Ｂ）の内面との間に前記結合剤（Ａ）が介在して、前記ネジ部材（１０）が前記固定対象母材（Ｃ）に固定されているネジ部材の固定構造。
【請求項２】
前記本体雄ネジ部（１３）に軸方向に沿って溝部（２０）が形成され、前記溝部（２０）に前記結合剤（Ａ）が入り込んでいる請求項１に記載のネジ部材の固定構造。
【請求項３】
前記溝部（２０）は、前記本体雄ネジ部（１３）の先端から後端に向かって伸びる第一の溝（２０ａ）と、前記本体雄ネジ部（１３）の先端から後端に向かって伸びて前記第一の溝（２０ａ）の長さよりも短い第二の溝（２０ｂ）とを備える請求項１又は２に記載のネジ部材の固定構造。
【請求項４】
前記本体雄ネジ部（１３）の軸方向に隣り合うネジ山部（１３ａ、１３ｃ）間の谷部（１３ｂ）の底面は、軸方向に沿って断面円弧状に形成されている請求項１から３のいずれか一つに記載のネジ部材の固定構造。
【請求項５】
コンクリート等の固定対象母材（Ｃ）にアンカー孔（Ｂ）を穿孔し、前記アンカー孔（Ｂ）内に、本体雄ネジ部（１３）を有するネジ部材（１０）を差し入れる際に、前記本体雄ネジ部（１３）の螺旋状のネジ山部（１３ａ）によって前記アンカー孔（Ｂ）の内面に螺旋状のネジ溝（Ｄ）を形成して前記ネジ山部（１３ａ）を前記ネジ溝（Ｄ）に入り込ませ、且つ、前記ネジ部材（１０）の外面とアンカー孔（Ｂ）の内面との間の空間に結合剤（Ａ）を介在させて、前記ネジ部材（１０）を前記固定対象母材（Ｃ）に固定するネジ部材の固定方法。
【請求項６】
請求項１から４のいずれか一つに記載のネジ部材の固定構造に用いられるネジ部材の定着強度管理方法であって、
前記ネジ部材（１０）は、その後端にトルク管理用操作部を備え、前記トルク管理用操作部に軸周り回転力を付与することにより、その回転トルクによって、前記ネジ部材（１０）の前記固定対象母材（Ｃ）に対する定着強度を評価するネジ部材の定着強度管理方法。
【発明の詳細な説明】
【技術分野】
【０００１】
この発明は、コンクリート構造物等の躯体に形成された孔にネジ部材を挿入し、そのネジ部材を接着剤等の結合剤を用いて固定するネジ部材の固定構造、及び、そのネジ部材の固定方法、さらには、そのネジ部材の定着強度管理方法に関するものである。
【背景技術】
【０００２】
土木構造物や建築物等の基礎や柱、梁、天井等に対し、内装材や補強材、その他各種機材等の被固着物を固定するために、ボルトやスクリューネジ等の各種ネジ部材が用いられる。
【０００３】
このネジ部材は、コンクルートが硬化する際に躯体に埋め込み固定される場合もあるが、既に硬化しているコンクリートや既設のコンクリートの躯体、あるいは岩盤や石材等の固定対象母材に対して後から施工するものは、特に、あと施工アンカーと呼ばれている。
【０００４】
あと施工アンカーにおいては、まず、固定対象母材となるコンクリート等の躯体にドリル等の穿孔具を用いてアンカー孔をあけ、その孔にネジ部材を挿入することとなる。
そして、そのネジ部材とアンカー孔の内面との間に接着剤等の結合材を介在させ、その結合材を介して、ネジ部材を固定対象母材に固定するケミカル式アンカーと呼ばれるタイプがある。また、アンカー孔内でネジ部材の一部が拡径して、アンカー孔の内面に対して抜け止め機能を発揮する拡径式（打ち込み式）アンカーと呼ばれるタイプもある。
【０００５】
ケミカル式アンカーでは、ネジ部材の固定は、例えば、樹脂や硬化剤、添加剤等から成る結合剤を入れたカプセルをアンカー孔内に嵌め込んでおき、ネジ部材をアンカー孔内に差し入れることによりカプセルが割れて、結合剤の成分が混合して活性化し硬化するようになっているものがある。結合剤が硬化すると、ネジ部材はアンカー孔内に不動に固定される。あるいは、アンカー孔内にネジ部材を差し入れる前や差し入れた後に、結合剤を注入する手法もある（例えば、特許文献１，２参照）。
【先行技術文献】
【特許文献】
【０００６】
【特許文献１】特開平８−２２６４２７号公報
【特許文献２】特開２００１−８９７１６号公報（第６頁段落００４５〜００４７等）
【発明の概要】
【発明が解決しようとする課題】
【０００７】
従来のケミカル式アンカーによるネジ部材の固定構造、固定方法では、ネジ部材の周囲にはその全周に亘って結合剤が介在する。すなわち、ネジ部材とアンカー孔の内面とは直接触れることなく、そのネジ部材の定着強度は、ほぼ結合剤とネジ部材の外面、結合剤とアンカー孔の内面との間の接着結合のみに基づいている。
【０００８】
このため、ネジ部材の定着強度は、固定対象母材からのネジ部材の引き抜き強度でもって確認されるのが一般的である。ネジ部材の引き抜き強度の測定は、通常、油圧式の荷重負荷装置（センターホールジャッキ等）を用いて行われ、ネジ部材が、引き抜き方向への所定の負荷に耐え得る定着強度を有しているかどうかで判定される。
【０００９】
しかし、この引き抜き試験を行うための荷重負荷装置のセットは非常に煩雑で時間や手間がかかり、また、荷重負荷装置は非常に重いので重労働でもある。特に、トンネル内壁や天井への施工時のように、上向き姿勢での作業となる場合、荷重負荷装置を扱うのはさらに大変で時間のかかる作業となる。このため、多数のネジ部材に対して引き抜き試験を実施することは、作業工程や作業コストへの影響が大きい。この点は、アンカー孔内でネジ部材の一部が拡径する拡径式アンカーの場合も同様である。
【００１０】
また、一般的に、ネジ部材の固定構造として、いま以上に定着強度と耐久性を高めたいという要請もある。
【００１１】
そこで、この発明の課題は、固定対象母材へのネジ部材の定着強度と耐久性をより高めるとともに、その定着強度の管理を容易にすることである。
【課題を解決するための手段】
【００１２】
上記の課題を解決するために、この発明は、コンクリート等の固定対象母材に形成されるアンカー孔と、前記アンカー孔内に差し入れられる本体雄ネジ部を有するネジ部材と、前記ネジ部材とアンカー孔の内面との間に介在する結合剤とを備え、前記本体雄ネジ部の螺旋状のネジ山部によって前記アンカー孔の内面に形成された螺旋状のネジ溝に前記ネジ山部が入り込み、且つ、前記ネジ部材の外面とアンカー孔の内面との間に前記結合剤が介在して、前記ネジ部材が前記固定対象母材に固定されているネジ部材の固定構造を採用した。
【００１３】
この構成において、前記本体雄ネジ部に軸方向に沿って溝部が形成され、前記溝部に前記結合剤が入り込んでいる構成を採用することができる。
【００１４】
また、前記溝部は、前記本体雄ネジ部の先端から後端に向かって伸びる第一の溝部と、前記本体雄ネジ部の先端から後端に向かって伸びて前記第一の溝部の長さよりも短い第二の溝部とを備える構成を採用することができる。
【００１５】
さらに、前記本体雄ネジ部の軸方向に隣り合うネジ山部間の谷部の底面は、軸方向に沿って断面円弧状に形成されていることが望ましい。
【００１６】
これらのネジ部材の固定方法を構築するための施工方法として、以下の手法を採用することができる。
すなわち、コンクリート等の固定対象母材にアンカー孔を穿孔し、前記アンカー孔内に、本体雄ネジ部を有するネジ部材を差し入れる際に、前記本体雄ネジ部の螺旋状のネジ山部によって前記アンカー孔の内面に螺旋状のネジ溝を形成して前記ネジ山部を前記ネジ溝に入り込ませ、且つ、前記ネジ部材の外面とアンカー孔の内面との間の空間に結合剤を介在させて、前記ネジ部材を前記固定対象母材に固定するネジ部材の固定方法である。
【００１７】
また、これらのネジ部材の固定構造に用いられるネジ部材の定着強度管理方法として、以下の手法を採用することができる。
すなわち、前記ネジ部材は、その後端にトルク管理用操作部を備え、前記トルク管理用操作部に軸周り回転力を付与することにより、その回転トルクによって、前記ネジ部材の前記固定対象母材に対する定着強度を評価するネジ部材の定着強度管理方法である。
【発明の効果】
【００１８】
この発明は、固定対象母材へのネジ部材の定着強度と耐久性をより高めるとともに、その定着強度の管理を容易にすることができる。
【図面の簡単な説明】
【００１９】
【図１】この発明の一実施形態を示し、（ａ）は平面図、（ｂ）は正面図、（ｃ）は底図、（ｄ）は（ｂ）のＤ−Ｄ断面図
【図２】同実施形態のネジ部材の先端を示す要部拡大斜視図
【図３】ネジ部材の固定構造を示し、（ａ）は正面断面図、（ｂ）は（ａ）の要部拡大図
【図４】ネジ部材の詳細を示し、（ａ）は要部拡大断面図、（ｂ）は（ａ）のさらなる拡大図、（ｃ）は（ａ）の変形例を示す要部拡大断面図
【図５】他の実施形態のネジ部材の先端を示す要部拡大斜視図
【図６】さらに他の実施形態を示し、（ａ）は平面図、（ｂ）は正面図、（ｃ）は底図
【図７】図６の実施形態のネジ部材の先端を示す要部拡大斜視図
【図８】（ａ）（ｂ）は実験例で採用したアンカーの固定構造の断面図
【図９】実験例で使用する固定対象母材の試験体を示し、（ａ）は左側面図、（ｂ）は平面図、（ｃ）は正面図
【図１０】試験体と施工内容を示す図表
【図１１ａ】試験結果を示す図表
【図１１ｂ】試験結果を示す図表
【図１１ｃ】試験結果を示す図表
【発明を実施するための形態】
【００２０】
この発明の実施形態を、以下、図面に基づいて説明する。この実施形態は、固定対象母材となるコンクリート等の躯体（以下、「固定対象母材Ｃ」と称する。）に、ドリル等の穿孔具を用いてアンカー孔Ｂをあけ、そのアンカー孔Ｂに軸状のネジ部材１０を差し入れて固定する「あと施工アンカー」、特に、ネジ部材１０とアンカー孔Ｂの内面との間に接着剤等の結合材Ａを介在させるケミカル式アンカーの固定構造、固定方法、及び定着強度管理方法に関するものである。
【００２１】
この実施形態に用いられるネジ部材１０を、図１及び図２に示す。
【００２２】
この実施形態のネジ部材１０は、固定対象母材Ｃのアンカー孔Ｂ内に入り込む先端側から後端側に向かって順に、本体雄ネジ部１３、後端雄ネジ部１２、ピンテール部１１を備えるスクリューネジである。
【００２３】
本体雄ネジ部１３は、相対的にネジ山の高さが高いネジ山部１３ａ（以下、「第一のネジ山部１３ａ」と称する。）と、相対的にネジ山の高さが低い第二のネジ山部１３ｃ（以下、「第二のネジ山部１３ｃ」と称する。）とを交互に備える二条ネジである。すなわち、ネジ山を構成する螺旋部が二組あり、ネジ部材１０が軸周り一回転する間に、軸方向に沿って高低合わせて二つ分のネジ山の距離だけ進む形状である。
【００２４】
第一のネジ山部１３ａと第二のネジ山部１３ｃとの間の谷部１３ｂの底面は、図４（ａ）（ｂ）に示すように、軸方向に沿って断面円弧状に形成されている。すなわち、本体雄ネジ部１３の軸方向に隣り合うネジ山部１３ａ，１３ｃ間の谷部１３ｂの底面は、その全域に亘って軸方向に沿って断面円弧状に形成されている。図４（ｂ）に示す符号Ｒは、その円弧の半径である。また、図中の符号ｘは、第一のネジ山部１３ａのピッチであり、これは、第二のネジ山部１３ｂと同じである。図中の符号ｙは、第一のネジ山部１３ａの高さを、符号ｚは、第二のネジ山部１３ｂの高さを示す。符号αは、第一のネジ山部１３ａの頂部付近のフランク同士が成す角度を、βは、第一のネジ山部１３ａの中腹付近のフランク同士が成す角度を示す。符号γは、第二のネジ山部１３ｃの頂部付近のフランク同士が成す角度を示す。
【００２５】
本体雄ネジ部１３の先端側は、ネジ部材１０の先端部１４である。先端部１４は、先細りの円錐台状となっている。先端部１４の側面１４ａは、先端に向かうにつれて徐々に細くなる円錐面であり、先端部１４の端面１４ｂは、軸方向に直交する面方向を有するフラット面である。この先端部１４の形状は変更することができ、例えば、円筒状、円錐状、角筒状、角錐台状、角錐状などとしてもよい。
【００２６】
後端雄ネジ部１２は、雄ネジからなるネジ山部１２ａを備えている。このネジ山部１２ａにナット（図示せず）をネジ込むことにより、そのナットと固定対象母材Ｃの表面との間、または、後端雄ネジ部１２に直接、各種の被固定物（図示せず）を固定することができる。後端雄ネジ部１２は所定の荷重を受けることができる構造であればよく、雄ネジに限定されず、雌ネジや断面六角形、断面円形の頭部など、他の構造であってもよい。
【００２７】
ピンテール部１１は、軸方向に伸びる山部１１ａと谷部１１ｂとを、軸周り周方向に沿って一定の間隔で備えるスプラインで構成されている。
【００２８】
本体雄ネジ部１３には、軸方向に沿って溝部２０が形成されている。この溝部２０に結合剤Ｂが入り込むようになっている。この実施形態では、同じ長さの合計四本の溝部２０が、軸周り９０°毎の方位に等分方位で設けられているが、溝部２０の配置や本数は、自由に設定できる。
【００２９】
この実施形態においては、溝部２０は、第一のネジ山部１３ａの頂部から内径側に向かって所定の深さで形成され、その深さは、第一のネジ山部１３ａの山の高さよりも浅く設定されて、第二のネジ山部１３ｂの頂部には至らない深さとなっている。したがって、溝部２０は第一のネジ山部１３ａの頂部にのみ形成され、第二のネジ山部１３ｂや谷部１３ｂには、溝部２０は形成されていない。ただし、この溝部２０の深さは、アンカーに求められる性能に応じて自由に設定できるので、例えば、第二のネジ山部１３ｂや谷部１３ｂに至る溝部２０としてもよい。この溝部２０は、例えば、プレス加工により形成することができる。
【００３０】
なお、ネジ部材１０は全体が炭素鋼からなり、特に、本体雄ネジ部１３では焼き入れを施している。ネジ部材１０の素材は炭素鋼には限定されず、ステンレス鋼や他の素材からなる金属を採用することもできる。
【００３１】
ただし、本体雄ネジ部１３のネジ山部には、固定対象母材Ｃのアンカー孔Ｂ内面に食い込むセルフタッピング機能が要求される。このため、少なくとも、そのセルフタッピング機能が要求されるネジ山部（この実施形態では、相対的にネジ山の高さが高いネジ山部である第一のネジ山部１３ａが該当）の素材は、固定対象母材Ｃよりも相対的に硬い素材とすることが望ましい。
【００３２】
ネジ部材１０が、固定対象母材Ｃのアンカー孔Ｂ内に固定された構造を図３に示す。
【００３３】
この実施形態のネジ部材１０の固定構造は、図３に示すように、固定対象母材Ｃに形成されるアンカー孔Ｂと、前述のネジ部材１０と、ネジ部材１０とアンカー孔Ｂの内面との間に介在する結合剤Ａとを備えた構造である。
【００３４】
ネジ部材１０の本体雄ネジ部１３が、固定対象母材Ｃに穿孔されたアンカー孔Ｂ内にねじ込まれ、本体雄ネジ部１３の螺旋状のネジ山部のセルフタッピング機能により、アンカー孔Ｂの内面に螺旋状のネジ溝Ｄが形成される。
【００３５】
螺旋状のネジ溝Ｄは、図３に示すように、そのネジ溝Ｄの内面と本体雄ネジ部１３のネジ山部の外面との間に隙間を介在する状態に形成される。セルフタッピングの過程で、本体雄ネジ部１３の軸周り回転とともに、ネジ溝Ｄの断面がネジ山部の断面よりもやや大きくなるように形成される。図では、ネジ溝Ｄの断面が等脚台形状に、ネジ山部１３ａの断面が三角形状になっている。第一のネジ山部１３ａの頂部と、それに対向する台形状のネジ溝Ｄの底面との間は、当接状態あるいはやや隙間をもって対向している状態である。また、第一のネジ山部１３ａのフランクと、それに対向する台形状のネジ溝Ｄの斜面との間も、隙間をもって対向している状態である。
【００３６】
このネジ溝Ｄに本体雄ネジ部１３のネジ山部が入り込み、ネジ溝Ｄの内面と本体雄ネジ部１３のネジ山部１３ａの外面との間の空間には、結合剤Ａが介在している。また、ネジ溝Ｄとネジ山部１３ａ以外の箇所にも、ネジ部材１０の外面とアンカー孔Ｂの内面との間に、結合剤Ａが介在している。
【００３７】
この実施形態では、第一のネジ山部１３ａのネジ山の高さｙ、アンカー孔Ｂの内径ｄに対して、そのネジ山のネジ溝Ｄへの入り込み深さをｈとしている。この高さｙや内径ｄと深さｈとの比率は、求められる固定対象母材の種別や求められる定着強度等によって適宜決定される。
【００３８】
後端雄ネジ部１２は、固定対象母材Ｃの表面から突出した状態である。後端雄ネジ部１２のネジ山部１２ａが突出しているので、この部位を用いて、前述のように、被固定物を固定することができる。
【００３９】
図３において、ピンテール部１１は後端雄ネジ部１２と一体の部材であり、両部位は繋がった状態で記載されているが、後述のように、施工後は、ピンテール部１１と後端雄ネジ部１２とは切断されることとなる。
【００４０】
これらのネジ部材の固定方法を構築するための施工方法を、以下説明する。
【００４１】
まず、固定対象母材Ｃにアンカー孔Ｂを穿孔する。穿孔は、電動のドリル等の穿孔具を用いる。アンカー孔Ｂの内径は、本体雄ネジ部１３のネジ山部がアンカー孔Ｂの内面にネジ溝Ｄを形成し、そのネジ溝Ｄに本体雄ネジ部１３のネジ山部が入り込むことができるよう、本体雄ネジ部１３のネジ山部の最大外径よりも、前述の深さｈに相当する分だけ小径とする。
【００４２】
つぎに、アンカー孔Ｂにネジ部材１０をネジ込んでいく。このネジ込みは、例えば、ネジ部材１０の後端の後端雄ネジ部１２にナットをネジ込み、そのナットにホルダー、ソケット等の接続手段を嵌め込んで、電動のインパクトレンチ等を用いて軸周り回転させることにより締め付けることができる。あるいは、ピンテール部１１に嵌め込むことができるホルダー、ソケット等の接続手段を用いて、電動のインパクトレンチ等を用いて締め付けることも可能である。
【００４３】
ネジ部材１０の本体雄ネジ部１３をアンカー孔Ｂにネジ込むことにより、本体雄ネジ部１３の螺旋状のネジ山部１３ａをアンカー孔Ｂの内面に食い込ませ、セルフタッピング機能によりアンカー孔Ｂの内面を削り、その内面に螺旋状のネジ溝Ｄを形成する。このとき、ネジ山部１３ａは、ネジ溝Ｄに入り込んだ状態となる。また、同時に、ネジ部材１０の外面とアンカー孔Ｂの内面との間の空間に結合剤Ａを行き渡らせる。
【００４４】
本体雄ネジ部１３のネジ山部１３ａをアンカー孔Ｂの内面のネジ溝Ｄに入り込ませ、且つ、ネジ部材１０の外面とアンカー孔Ｂの内面との間の空間に結合剤Ａを介在させたので、結合剤Ａによるネジ部材１０と固定対象母材Ｃとの接着力と、ネジ山部１３ａのアンカー孔Ｂ内面への食い込みによるネジ部材１０と固定対象母材Ｃとの摩擦力とが合わせて作用することとなり、固定対象母材Ｃへのネジ部材１０の定着強度と耐久性をより高めることができる。
【００４５】
また、本体雄ネジ部１３の軸方向に隣り合うネジ山部１３ａ，１３ｃ間の谷部１３ｂの底面が、その全域に亘って軸方向に沿って断面円弧状に形成されているので、ネジ部材１０の外面とアンカー孔Ｂの内面との間の空間の内面に折れ点が少なく、全体に結合剤Ａが行き渡りやすいという効果も期待できる。
【００４６】
なお、谷部１３ｂの底面を断面円弧状にする効果を期待しなくても所定の定着強度を発揮できる仕様の場合は、例えば、図４（ｃ）のように、谷部１３ｂの底面のうち軸方向中央寄りの部分をフラット面としてもよい。図４（ａ）の鎖線で示すラインは、図４（ｃ）の谷部１３ｂの底面に相当する。
【００４７】
また、本体雄ネジ部１３に軸方向に沿う溝部２０を形成したので、結合剤Ａはさらに円滑に行き渡るようになっている。ここで、本体雄ネジ部１３をネジ山の高さが異なる二つのネジ山部を有する二条ネジとしている点も、結合剤Ａの円滑な充填に効果を発揮している。
【００４８】
結合剤Ａとしては、固化後に所定の強度、耐久性を発揮できる素材であれば自由に採用できる。例えば、未硬化の樹脂とその樹脂を硬化させる作用を持つ硬化剤等とを用いた二液混合型の有機系固着剤や、未硬化のセメント系材料とそのセメント系材料の硬化を促進させる作用を持つ硬化促進剤等とを用いた二液混合型の無機系固着剤を用いることができる。あるいは、コンクリート等の石材や金属材料に対応する周知の接着剤を用いることもできる。
【００４９】
実施形態では、結合剤Ａとして、二液混合型の有機系固着剤を使用している。固定対象母材Ｃにアンカー孔Ｂを穿孔した後、ネジ部材１０をアンカー孔Ｂにネジ込む前に、二液を混合させた状態の固着剤をアンカー孔Ｂ内に注入しておく。あるいは、ネジ部材１０をアンカー孔Ｂにある程度ねじ込んだ後に、固着剤を注入してもよい。
【００５０】
また、結合剤Ａは、ガラスや樹脂製のカプセルに封入されたものを使用することもできる。カプセル（図示せず）を予めアンカー孔Ｂ内に挿入しておき、その状態でネジ部材１０をネジ込むことにより、先端部１４でパクセルを破壊して、内部の結合剤Ａを、ネジ部材１０の外面とアンカー孔Ｂの内面との間に充填させる。結合剤Ａが硬化すると、ネジ部材１０はアンカー孔Ｂ内に不動に固定され、図３の状態となる。
【００５１】
ここで、先端部１４の形状が上述のように先細りであれば、アンカー孔Ｂ内にネジ部材１０をネジ込む際の抵抗が減少するとともに、特に、結合剤Ａとしてカプセルに封入されたものを用いる際には、カプセルの破壊が円滑である。
【００５２】
また、ピンテール部１１と後端雄ネジ部１２との間は、やや小径の首部１１ｃとなっている。ネジ部材１０がアンカー孔Ｂ内に固着された後、ピンテール部１１に所定の回転トルクが加われば、その首部１１ｃを介してそれよりも先端側の部材からピンテール部１１が切断されるようになっている。
【００５３】
このため、固着剤が完全に硬化してネジ部材１０がアンカー孔Ｂ内に固着された後、電動のトルクレンチ等の工具を用いて、ネジ部材１０にネジ込み時と逆方向の回転トルクを加える。このとき、ピンテール部１１が切断されれば、所定のトルクが作用して要求される所定の強度が発揮されていることを確認することができる。すなわち、ここでは、いわゆるトルシア型ボルトの形態を採用しており、ネジ部材１０の後端のピンテール部１１に専用の締結機械を嵌めて軸周り回転させると、所定のトルクが作用した時点でピンテール部１１が破断してそれを知らせることができる。このため、施工後、ピンテール部１１が残っているか否かの外観によって、ネジ部材１０が固定対象母材Ｃに対して所定の定着強度を有しているかどうか検査の結果が確認できる。この検査は、上記のような電動の工具等を用いて行ってもよいし、手動のトルクレンチ等の工具を用いて手作業で行ってもよい。
【００５４】
従来のケミカル系アンカーでは、ネジ部材１０とアンカー孔Ｂの内面とは直接触れることなく、そのネジ部材１０の固定対象母材Ｃへの定着強度は、ほぼ結合剤Ａとネジ部材１０の外面、結合剤Ａとアンカー孔Ｂの内面との間の接着結合のみに基づいていた。このため、ネジ部材１０の固定対象母材Ｃに対する定着強度を確認するには、引き抜き試験を実施する以外に方法がなかった。
【００５５】
しかし、この発明によれば、煩雑な引き抜き試験を行うことなく、ネジ部材１０のトルク管理により容易に定着強度を確認できる。トルク管理による定着強度の確認であれば、容易に、短時間で全数調査も可能である。また、この実施形態では、ピンテール部１１の切断によってトルク管理が可能であるので、ネジ部材１０の打設と同時にトルク管理が完了し、別途の定着検査を不要とすることもできる。
【００５６】
このような定着強度管理の簡略化の効果は、アンカー孔Ｂ内でネジ部材１０の一部が拡径して、アンカー孔Ｂの内面に対して抜け止め機能を発揮する拡径式（打ち込み式）アンカーでは期待できるものではない。また、ネジ部材１０のネジ山部が、固定対象母材Ｃに食い込まない従来のケミカル式アンカーでも期待できるものではない。
【００５７】
ところで、上記の実施形態では、これらのネジ部材の固定構造に用いられるネジ部材として、ピンテール部１１を備えたものを採用したが、ピンテール部１１を備えないネジ部材１０を採用してもよい。
【００５８】
このとき、ネジ部材１０の定着強度管理方法として、例えば、以下の手法を採用することができる。
【００５９】
すなわち、ネジ部材１０は、その後端にトルク管理用操作部を備えたものとする。トルク管理用操作部としては、例えば、前述のピンテール部１１と同様のスプラインで構成してもよいし、本体雄ネジ部１３とは逆ネジとなる雄ネジ部または雌ネジ部で構成してもよい。
【００６０】
ネジ部材１０の打設後、結合剤Ａの硬化後において、トルク管理用操作部に、トルクレンチ等によって、本体雄ネジ部１３のネジ込みの際とは逆方向の軸周り回転力を付与することにより、その回転トルクによって、ネジ部材１０の固定対象母材Ｃに対する定着強度を評価することができる。すなわち、ネジ部材１０が、一定の回転トルクに耐え得る（回らない）ことを確認することにより、適正な定着強度を発揮していると確認できる定着強度管理方法である。
【００６１】
上記の実施形態では、ネジ部材１０として、固定対象母材Ｃのアンカー孔Ｂ内に入り込む先端側から順に、本体雄ネジ部１３、後端雄ネジ部１２、ピンテール部１１を備えるスクリューネジとしたが、アンカー孔Ｂの内面にネジ山が食い込む本体雄ネジ部１３を備えている限りにおいて、この実施形態には限定されない。ネジ部材１０として、例えば、後端雄ネジ部１２に代えて別の形状、機能からなる軸部を備えたアンカーボルト等であってもよい。
【００６２】
他の実施形態を図５（ａ）（ｂ）に示す。この実施形態は、溝部２０として、本体雄ネジ部１３の先端から後端に向かって伸びる第一の溝部２０ａと、前記本体雄ネジ部の前端から後端に向かって伸びて前記第一の溝部２０ａの長さよりも短い第二の溝部２０ｂとを備えたものを採用している。この例では、第一の溝部２０ａと第二の溝部２０ｂとを四本ずつ、４５°毎に交互に等分配置としている。
【００６３】
図５（ａ）は、溝部２０の深さが第一のネジ山部１３ａの山の高さよりも浅く設定されて、第二のネジ山部１３ｂの頂部には至らない深さとなっている例である。溝部２０の第一の溝部２０ａと第二の溝部２０ｂは、第一のネジ山部１３ａの頂部にのみ形成され、第二のネジ山部１３ｂや谷部１３ｂには、溝部２０は形成されていない。図５（ｂ）は、第二のネジ山部１３ｂや谷部１３ｂに至る溝部２０とした例である。溝部２０の第一の溝部２０ａと第二の溝部２０ｂは、第一のネジ山部１３ａだけでなく、第二のネジ山部１３ｂや谷部１３ｂにも形成されている。
【００６４】
これらの例では、特に先端寄りの部分において、第一の溝部２０ａと第二の溝部２０ｂとが軸周り方向に交互に並列する構成としたので、ネジ部材１０の外面とアンカー孔Ｂの内面との間の空間に対する結合剤Ａの充填がさらに円滑である。
【００６５】
さらに他の実施形態を、図６及び図７に示す。この実施形態は、溝部２０の形成を省略したものである。溝部２０の効果を期待しなくても、所定の定着強度を発揮できる仕様の場合は、このような実施形態を採用することも可能である。
【実験例】
【００６６】
実験例を図８〜図１１に示す。この実験例は、上記の構成からなるネジ部材の固定構造において、実際にネジ部材１０が、固定対象母材Ｃに対して所定の定着強度を有しているかを引き抜き試験により確認したものである。
【００６７】
試験片となるネジ部材１０は、呼び長さ１６０ｍｍ、本体外径ｄｓ＝１６．５５ｍｍ、本体軸径ｄｋ＝１２．６ｍｍのアンカーボルトＨＵＳ−Ｈ１４×６０／７０／８０／９０を使用した。材質は、炭素鋼ＤＩＮ  ＥＮ  １０２６３−４，１．５５２３（亜鉛メッキ５μｍ）である。
【００６８】
試験片Ｎｏ．１〜３０は、アンカー孔Ｂの深さ８０ｍｍにて、試験片Ｎｏ．３１〜６０は、アンカー孔Ｂの深さ１１０ｍｍにて実験を行った。試験片Ｎｏ．６１〜７０は、図８（ａ）に示すように、入口付近に角度約１５度の傾斜した内面を有する拡径部（傾斜孔）を設けたアンカー孔Ｂにて実験を行った。試験片Ｎｏ．７１〜８０は、図８（ｂ）に示すように、隣接する浅い穿孔部が連なって一体の孔（拡大孔）となったアンカー孔Ｂにて実験を行った。
【００６９】
図９に、実験例で使用する固定対象母材Ｃの試験体を示す。平面視８００ｍｍ四方の底面、高さ２５０ｍｍからなる正四角柱の底面に、４箇所のアンカー孔Ｂを穿孔し、その４箇所のアンカー孔Ｂに結合材Ａを注入後、ネジ部材１０のねじ込みを行った。コンクリートの目標基準強度は２４Ｎ／ｍｍ２、スランプ値は１２ｃｍ、粗骨材最大寸法は２５ｃｍ。内部には、鉄筋を配筋している。結合材Ａは、ＨＩＴ−ＲＥ５００エポキシ系接着剤、穿孔機械は、ハンマードリルＴＥ３０−Ｍ、ドリルビットはホロービットΦ１４、締め付け機械は、インパクトレンチＳＩＷ  ２２Ｔ−Ａである。
【００７０】
ネジ部材１０のアンカー孔Ｂへのねじ込み深さは、図１０の通りである。試験片Ｎｏ．１〜１０、Ｎｏ．２１〜３０、Ｎｏ．４１〜５０、Ｎｏ．６１〜８０のネジ部材１０の埋め込み深さは、７０ｍｍである。試験片Ｎｏ．１１〜２０、Ｎｏ．３１〜４０、Ｎｏ．５１〜６０のネジ部材１０の埋め込み深さは、１００ｍｍである。試験片Ｎｏ．１〜２０は下向き施工、試験片Ｎｏ．２１〜４０は横向き施工、試験片Ｎｏ．４１〜８０は上向き施工である。
【００７１】
図１１ａ〜図１１ｃに、その試験結果を示す。引き抜き試験には、ネジ部材１０の頭部を保持し、そのネジ部材１０に対して固定対象母材Ｃから引き抜く方向への力を付与する油圧試験機を用いた。試験開始からネジ部材１０が固定対象母材Ｃから抜けるまで、あるいは、固定対象母材Ｃのコンクリートが割れる時点まで載荷を続け、その荷重のメータ値を記録した。
【００７２】
下向き施工の試験片Ｎｏ．１〜２０、横向き施工のＮｏ．２１〜４０、上向き施工のＮｏ．４１〜６０、傾斜孔施工の試験片Ｎｏ．６１〜７０、拡大孔施工の試験片Ｎｏ．６１〜７０のいずれの試験体においても、ネジ部材１０と固定対象母材Ｃとの定着部ではなく、ネジ部材１０から一定距離離れた部分で固定対象母材Ｃ自身が破断するコーン破壊に至って実験を終了している。このため、ネジ部材１０と固定対象母材Ｃとの定着部の強度は、固定対象母材Ｃ自身の強度よりも上回っていることが確認できた。
【００７３】
なお、図１１ｃに示す試験片Ｎｏ．短１〜短１０は、アンカー孔Ｂの穿孔深さを８０ｍｍとし、そのうち深い部分４０ｍｍの区間にのみ結合材Ａを充填したものである。この実験においても、求められる所定の引き抜き強度は満たしていることが確認できた。
【符号の説明】
【００７４】
１０  ネジ部材（スクリューネジ）
１１  ピンテール部
１１ａ  山部
１１ｂ  谷部
１２  後端雄ネジ部
１２ａ  ネジ山部
１３  本体雄ネジ部
１３ａ  ネジ山部（第一のネジ山部）
１３ｂ  谷部
１３ｃ  ネジ山部（第二のネジ山部）
１４  先端部
１４ｂ  側面
１４ｂ  端面
２０  溝部
２０ａ  第一の溝部
２０ｂ  第二の溝部
Ａ  結合剤
Ｂ  アンカー孔
Ｃ  固定対象母材（コンクリート）
【図１】
2016056571.tif 000003
【図２】
2016056571.tif 000004
【図３】
2016056571.tif 000005
【図４】
2016056571.tif 000006
【図５】
2016056571.tif 000007
【図６】
2016056571.tif 000008
【図７】
2016056571.tif 000009
【図８】
2016056571.tif 000010
【図９】
2016056571.tif 000011
【図１０】
2016056571.tif 000012
【図１１ａ】
2016056571.tif 000013
【図１１ｂ】
2016056571.tif 000014
【図１１ｃ】
2016056571.tif 000015
【手続補正書】
【提出日】平成27年11月4日(2015.11.4)
【手続補正１】
【補正対象書類名】明細書
【補正対象項目名】全文
【補正方法】変更
【補正の内容】
【発明の詳細な説明】
【技術分野】
【０００１】
この発明は、コンクリート構造物等の躯体に形成された孔にネジ部材を挿入し、そのネジ部材を接着剤等の結合剤を用いて固定するネジ部材の固定構造、及び、そのネジ部材の固定方法、さらには、そのネジ部材の定着強度管理方法に関するものである。
【背景技術】
【０００２】
土木構造物や建築物等の基礎や柱、梁、天井等に対し、内装材や補強材、その他各種機材等の被固着物を固定するために、ボルトやスクリューネジ等の各種ネジ部材が用いられる。
【０００３】
このネジ部材は、コンクリートが硬化する際に躯体に埋め込み固定される場合もあるが、既に硬化しているコンクリートや既設のコンクリートの躯体、あるいは岩盤や石材等の固定対象母材に対して後から施工するものは、特に、あと施工アンカーと呼ばれている。
【０００４】
あと施工アンカーにおいては、まず、固定対象母材となるコンクリート等の躯体にドリル等の穿孔具を用いてアンカー孔をあけ、その孔にネジ部材を挿入することとなる。
そして、そのネジ部材とアンカー孔の内面との間に接着剤等の結合材を介在させ、その結合材を介して、ネジ部材を固定対象母材に固定するケミカル式アンカーと呼ばれるタイプがある。また、アンカー孔内でネジ部材の一部が拡径して、アンカー孔の内面に対して抜け止め機能を発揮する拡径式（打ち込み式）アンカーと呼ばれるタイプもある。
【０００５】
ケミカル式アンカーでは、ネジ部材の固定は、例えば、樹脂や硬化剤、添加剤等から成る結合剤を入れたカプセルをアンカー孔内に嵌め込んでおき、ネジ部材をアンカー孔内に差し入れることによりカプセルが割れて、結合剤の成分が混合して活性化し硬化するようになっているものがある。結合剤が硬化すると、ネジ部材はアンカー孔内に不動に固定される。あるいは、アンカー孔内にネジ部材を差し入れる前や差し入れた後に、結合剤を注入する手法もある（例えば、特許文献１，２参照）。
【先行技術文献】
【特許文献】
【０００６】
【特許文献１】特開平８−２２６４２７号公報
【特許文献２】特開２００１−８９７１６号公報（第６頁段落００４５〜００４７等）
【発明の概要】
【発明が解決しようとする課題】
【０００７】
従来のケミカル式アンカーによるネジ部材の固定構造、固定方法では、ネジ部材の周囲にはその全周に亘って結合剤が介在する。すなわち、ネジ部材とアンカー孔の内面とは直接触れることなく、そのネジ部材の定着強度は、ほぼ結合剤とネジ部材の外面、結合剤とアンカー孔の内面との間の接着結合のみに基づいている。
【０００８】
このため、ネジ部材の定着強度は、固定対象母材からのネジ部材の引き抜き強度でもって確認されるのが一般的である。ネジ部材の引き抜き強度の測定は、通常、油圧式の荷重負荷装置（センターホールジャッキ等）を用いて行われ、ネジ部材が、引き抜き方向への所定の負荷に耐え得る定着強度を有しているかどうかで判定される。
【０００９】
しかし、この引き抜き試験を行うための荷重負荷装置のセットは非常に煩雑で時間や手間がかかり、また、荷重負荷装置は非常に重いので重労働でもある。特に、トンネル内壁や天井への施工時のように、上向き姿勢での作業となる場合、荷重負荷装置を扱うのはさらに大変で時間のかかる作業となる。このため、多数のネジ部材に対して引き抜き試験を実施することは、作業工程や作業コストへの影響が大きい。この点は、アンカー孔内でネジ部材の一部が拡径する拡径式アンカーの場合も同様である。
【００１０】
また、一般的に、ネジ部材の固定構造として、いま以上に定着強度と耐久性を高めたいという要請もある。
【００１１】
そこで、この発明の課題は、固定対象母材へのネジ部材の定着強度と耐久性をより高めるとともに、その定着強度の管理を容易にすることである。
【課題を解決するための手段】
【００１２】
上記の課題を解決するために、この発明は、コンクリート等の固定対象母材に形成されるアンカー孔と、前記アンカー孔内に差し入れられる本体雄ネジ部を有するネジ部材と、前記ネジ部材とアンカー孔の内面との間に介在する結合剤とを備え、前記本体雄ネジ部の螺旋状のネジ山部によって前記アンカー孔の内面に形成された螺旋状のネジ溝に前記ネジ山部が入り込み、且つ、前記ネジ部材の外面とアンカー孔の内面との間に前記結合剤が介在して、前記ネジ部材が前記固定対象母材に固定されているネジ部材の固定構造を採用した。
【００１３】
この構成において、前記本体雄ネジ部に軸方向に沿って溝部が形成され、前記溝部に前記結合剤が入り込んでいる構成を採用することができる。
【００１４】
また、前記溝部は、前記本体雄ネジ部の先端から後端に向かって伸びる第一の溝部と、前記本体雄ネジ部の先端から後端に向かって伸びて前記第一の溝部の長さよりも短い第二の溝部とを備える構成を採用することができる。
【００１５】
さらに、前記本体雄ネジ部の軸方向に隣り合うネジ山部間の谷部の底面は、軸方向に沿って断面円弧状に形成されていることが望ましい。
【００１６】
これらのネジ部材の固定方法を構築するための施工方法として、以下の手法を採用することができる。
すなわち、コンクリート等の固定対象母材にアンカー孔を穿孔し、前記アンカー孔内に、本体雄ネジ部を有するネジ部材を差し入れる際に、前記本体雄ネジ部の螺旋状のネジ山部によって前記アンカー孔の内面に螺旋状のネジ溝を形成して前記ネジ山部を前記ネジ溝に入り込ませ、且つ、前記ネジ部材の外面とアンカー孔の内面との間の空間に結合剤を介在させて、前記ネジ部材を前記固定対象母材に固定するネジ部材の固定方法である。
【００１７】
また、これらのネジ部材の固定構造に用いられるネジ部材の定着強度管理方法として、以下の手法を採用することができる。
すなわち、前記ネジ部材は、その後端にトルク管理用操作部を備え、前記トルク管理用操作部に軸周り回転力を付与することにより、その回転トルクによって、前記ネジ部材の前記固定対象母材に対する定着強度を評価するネジ部材の定着強度管理方法である。
【発明の効果】
【００１８】
この発明は、固定対象母材へのネジ部材の定着強度と耐久性をより高めるとともに、その定着強度の管理を容易にすることができる。
【図面の簡単な説明】
【００１９】
【図１】この発明の一実施形態を示し、（ａ）は平面図、（ｂ）は正面図、（ｃ）は底図、（ｄ）は（ｂ）のＩ−Ｉ断面図
【図２】同実施形態のネジ部材の先端を示す要部拡大斜視図
【図３】ネジ部材の固定構造を示し、（ａ）は正面断面図、（ｂ）は（ａ）の要部拡大図
【図４】ネジ部材の詳細を示し、（ａ）は要部拡大断面図、（ｂ）は（ａ）のさらなる拡大図、（ｃ）は（ａ）の変形例を示す要部拡大断面図
【図５】他の実施形態のネジ部材の先端を示す要部拡大斜視図
【図６】さらに他の実施形態を示し、（ａ）は平面図、（ｂ）は正面図、（ｃ）は底図
【図７】図６の実施形態のネジ部材の先端を示す要部拡大斜視図
【図８】（ａ）（ｂ）は実験例で採用したアンカーの固定構造の断面図
【図９】実験例で使用する固定対象母材の試験体を示し、（ａ）は左側面図、（ｂ）は平面図、（ｃ）は正面図
【図１０】試験体と施工内容を示す図表
【図１１ａ】試験結果を示す図表
【図１１ｂ】試験結果を示す図表
【図１１ｃ】試験結果を示す図表
【発明を実施するための形態】
【００２０】
この発明の実施形態を、以下、図面に基づいて説明する。この実施形態は、固定対象母材となるコンクリート等の躯体（以下、「固定対象母材Ｃ」と称する。）に、ドリル等の穿孔具を用いてアンカー孔Ｂをあけ、そのアンカー孔Ｂに軸状のネジ部材１０を差し入れて固定する「あと施工アンカー」、特に、ネジ部材１０とアンカー孔Ｂの内面との間に接着剤等の結合材Ａを介在させるケミカル式アンカーの固定構造、固定方法、及び定着強度管理方法に関するものである。
【００２１】
この実施形態に用いられるネジ部材１０を、図１及び図２に示す。
【００２２】
この実施形態のネジ部材１０は、固定対象母材Ｃのアンカー孔Ｂ内に入り込む先端側から後端側に向かって順に、本体雄ネジ部１３、後端雄ネジ部１２、ピンテール部１１を備えるスクリューネジである。
【００２３】
本体雄ネジ部１３は、相対的にネジ山の高さが高いネジ山部１３ａ（以下、「第一のネジ山部１３ａ」と称する。）と、相対的にネジ山の高さが低い第二のネジ山部１３ｃ（以下、「第二のネジ山部１３ｃ」と称する。）とを交互に備える二条ネジである。すなわち、ネジ山を構成する螺旋部が二組あり、ネジ部材１０が軸周り一回転する間に、軸方向に沿って高低合わせて二つ分のネジ山の距離だけ進む形状である。
【００２４】
第一のネジ山部１３ａと第二のネジ山部１３ｃとの間の谷部１３ｂの底面は、図４（ａ）（ｂ）に示すように、軸方向に沿って断面円弧状に形成されている。すなわち、本体雄ネジ部１３の軸方向に隣り合うネジ山部１３ａ，１３ｃ間の谷部１３ｂの底面は、その全域に亘って軸方向に沿って断面円弧状に形成されている。図４（ｂ）に示す符号Ｒは、その円弧の半径である。また、図中の符号ｘは、第一のネジ山部１３ａのピッチであり、これは、第二のネジ山部１３ｂと同じである。図中の符号ｙは、第一のネジ山部１３ａの高さを、符号ｚは、第二のネジ山部１３ｂの高さを示す。符号αは、第一のネジ山部１３ａの頂部付近のフランク同士が成す角度を、βは、第一のネジ山部１３ａの中腹付近のフランク同士が成す角度を示す。符号γは、第二のネジ山部１３ｃの頂部付近のフランク同士が成す角度を示す。
【００２５】
本体雄ネジ部１３の先端側は、ネジ部材１０の先端部１４である。先端部１４は、先細りの円錐台状となっている。先端部１４の側面１４ａは、先端に向かうにつれて徐々に細くなる円錐面であり、先端部１４の端面１４ｂは、軸方向に直交する面方向を有するフラット面である。この先端部１４の形状は変更することができ、例えば、円筒状、円錐状、角筒状、角錐台状、角錐状などとしてもよい。
【００２６】
後端雄ネジ部１２は、雄ネジからなるネジ山部１２ａを備えている。このネジ山部１２ａにナット（図示せず）をネジ込むことにより、そのナットと固定対象母材Ｃの表面との間、または、後端雄ネジ部１２に直接、各種の被固定物（図示せず）を固定することができる。後端雄ネジ部１２は所定の荷重を受けることができる構造であればよく、雄ネジに限定されず、雌ネジや断面六角形、断面円形の頭部など、他の構造であってもよい。
【００２７】
ピンテール部１１は、軸方向に伸びる山部１１ａと谷部１１ｂとを、軸周り周方向に沿って一定の間隔で備えるスプラインで構成されている。
【００２８】
本体雄ネジ部１３には、軸方向に沿って溝部２０が形成されている。この溝部２０に結合剤Ｂが入り込むようになっている。この実施形態では、同じ長さの合計四本の溝部２０が、軸周り９０°毎の方位に等分方位で設けられているが、溝部２０の配置や本数は、自由に設定できる。
【００２９】
この実施形態においては、溝部２０は、第一のネジ山部１３ａの頂部から内径側に向かって所定の深さで形成され、その深さは、第一のネジ山部１３ａの山の高さよりも浅く設定されて、第二のネジ山部１３ｂの頂部には至らない深さとなっている。したがって、溝部２０は第一のネジ山部１３ａの頂部にのみ形成され、第二のネジ山部１３ｂや谷部１３ｂには、溝部２０は形成されていない。ただし、この溝部２０の深さは、アンカーに求められる性能に応じて自由に設定できるので、例えば、第二のネジ山部１３ｂや谷部１３ｂに至る溝部２０としてもよい。この溝部２０は、例えば、プレス加工により形成することができる。
【００３０】
なお、ネジ部材１０は全体が炭素鋼からなり、特に、本体雄ネジ部１３では焼き入れを施している。ネジ部材１０の素材は炭素鋼には限定されず、ステンレス鋼や他の素材からなる金属を採用することもできる。
【００３１】
ただし、本体雄ネジ部１３のネジ山部には、固定対象母材Ｃのアンカー孔Ｂ内面に食い込むセルフタッピング機能が要求される。このため、少なくとも、そのセルフタッピング機能が要求されるネジ山部（この実施形態では、相対的にネジ山の高さが高いネジ山部である第一のネジ山部１３ａが該当）の素材は、固定対象母材Ｃよりも相対的に硬い素材とすることが望ましい。
【００３２】
ネジ部材１０が、固定対象母材Ｃのアンカー孔Ｂ内に固定された構造を図３に示す。
【００３３】
この実施形態のネジ部材１０の固定構造は、図３に示すように、固定対象母材Ｃに形成されるアンカー孔Ｂと、前述のネジ部材１０と、ネジ部材１０とアンカー孔Ｂの内面との間に介在する結合剤Ａとを備えた構造である。
【００３４】
ネジ部材１０の本体雄ネジ部１３が、固定対象母材Ｃに穿孔されたアンカー孔Ｂ内にねじ込まれ、本体雄ネジ部１３の螺旋状のネジ山部のセルフタッピング機能により、アンカー孔Ｂの内面に螺旋状のネジ溝Ｄが形成される。
【００３５】
螺旋状のネジ溝Ｄは、図３に示すように、そのネジ溝Ｄの内面と本体雄ネジ部１３のネジ山部の外面との間に隙間を介在する状態に形成される。セルフタッピングの過程で、本体雄ネジ部１３の軸周り回転とともに、ネジ溝Ｄの断面がネジ山部の断面よりもやや大きくなるように形成される。図では、ネジ溝Ｄの断面が等脚台形状に、ネジ山部１３ａの断面が三角形状になっている。第一のネジ山部１３ａの頂部と、それに対向する台形状のネジ溝Ｄの底面との間は、当接状態あるいはやや隙間をもって対向している状態である。また、第一のネジ山部１３ａのフランクと、それに対向する台形状のネジ溝Ｄの斜面との間も、隙間をもって対向している状態である。
【００３６】
このネジ溝Ｄに本体雄ネジ部１３のネジ山部が入り込み、ネジ溝Ｄの内面と本体雄ネジ部１３のネジ山部１３ａの外面との間の空間には、結合剤Ａが介在している。また、ネジ溝Ｄとネジ山部１３ａ以外の箇所にも、ネジ部材１０の外面とアンカー孔Ｂの内面との間に、結合剤Ａが介在している。
【００３７】
この実施形態では、第一のネジ山部１３ａのネジ山の高さｙ、アンカー孔Ｂの内径ｄに対して、そのネジ山のネジ溝Ｄへの入り込み深さをｈとしている。この高さｙや内径ｄと深さｈとの比率は、求められる固定対象母材の種別や求められる定着強度等によって適宜決定される。
【００３８】
後端雄ネジ部１２は、固定対象母材Ｃの表面から突出した状態である。後端雄ネジ部１２のネジ山部１２ａが突出しているので、この部位を用いて、前述のように、被固定物を固定することができる。
【００３９】
図３において、ピンテール部１１は後端雄ネジ部１２と一体の部材であり、両部位は繋がった状態で記載されているが、後述のように、施工後は、ピンテール部１１と後端雄ネジ部１２とは切断されることとなる。
【００４０】
これらのネジ部材の固定方法を構築するための施工方法を、以下説明する。
【００４１】
まず、固定対象母材Ｃにアンカー孔Ｂを穿孔する。穿孔は、電動のドリル等の穿孔具を用いる。アンカー孔Ｂの内径は、本体雄ネジ部１３のネジ山部がアンカー孔Ｂの内面にネジ溝Ｄを形成し、そのネジ溝Ｄに本体雄ネジ部１３のネジ山部が入り込むことができるよう、本体雄ネジ部１３のネジ山部の最大外径よりも、前述の深さｈに相当する分だけ小径とする。
【００４２】
つぎに、アンカー孔Ｂにネジ部材１０をネジ込んでいく。このネジ込みは、例えば、ネジ部材１０の後端の後端雄ネジ部１２にナットをネジ込み、そのナットにホルダー、ソケット等の接続手段を嵌め込んで、電動のインパクトレンチ等を用いて軸周り回転させることにより締め付けることができる。あるいは、ピンテール部１１に嵌め込むことができるホルダー、ソケット等の接続手段を用いて、電動のインパクトレンチ等を用いて締め付けることも可能である。
【００４３】
ネジ部材１０の本体雄ネジ部１３をアンカー孔Ｂにネジ込むことにより、本体雄ネジ部１３の螺旋状のネジ山部１３ａをアンカー孔Ｂの内面に食い込ませ、セルフタッピング機能によりアンカー孔Ｂの内面を削り、その内面に螺旋状のネジ溝Ｄを形成する。このとき、ネジ山部１３ａは、ネジ溝Ｄに入り込んだ状態となる。また、同時に、ネジ部材１０の外面とアンカー孔Ｂの内面との間の空間に結合剤Ａを行き渡らせる。
【００４４】
本体雄ネジ部１３のネジ山部１３ａをアンカー孔Ｂの内面のネジ溝Ｄに入り込ませ、且つ、ネジ部材１０の外面とアンカー孔Ｂの内面との間の空間に結合剤Ａを介在させたので、結合剤Ａによるネジ部材１０と固定対象母材Ｃとの接着力と、ネジ山部１３ａのアンカー孔Ｂ内面への食い込みによるネジ部材１０と固定対象母材Ｃとの摩擦力とが合わせて作用することとなり、固定対象母材Ｃへのネジ部材１０の定着強度と耐久性をより高めることができる。
【００４５】
また、本体雄ネジ部１３の軸方向に隣り合うネジ山部１３ａ，１３ｃ間の谷部１３ｂの底面が、その全域に亘って軸方向に沿って断面円弧状に形成されているので、ネジ部材１０の外面とアンカー孔Ｂの内面との間の空間の内面に折れ点が少なく、全体に結合剤Ａが行き渡りやすいという効果も期待できる。
【００４６】
なお、谷部１３ｂの底面を断面円弧状にする効果を期待しなくても所定の定着強度を発揮できる仕様の場合は、例えば、図４（ｃ）のように、谷部１３ｂの底面のうち軸方向中央寄りの部分をフラット面としてもよい。図４（ａ）の鎖線で示すラインは、図４（ｃ）の谷部１３ｂの底面に相当する。
【００４７】
また、本体雄ネジ部１３に軸方向に沿う溝部２０を形成したので、結合剤Ａはさらに円滑に行き渡るようになっている。ここで、本体雄ネジ部１３をネジ山の高さが異なる二つのネジ山部を有する二条ネジとしている点も、結合剤Ａの円滑な充填に効果を発揮している。
【００４８】
結合剤Ａとしては、固化後に所定の強度、耐久性を発揮できる素材であれば自由に採用できる。例えば、未硬化の樹脂とその樹脂を硬化させる作用を持つ硬化剤等とを用いた二液混合型の有機系固着剤や、未硬化のセメント系材料とそのセメント系材料の硬化を促進させる作用を持つ硬化促進剤等とを用いた二液混合型の無機系固着剤を用いることができる。あるいは、コンクリート等の石材や金属材料に対応する周知の接着剤を用いることもできる。
【００４９】
実施形態では、結合剤Ａとして、二液混合型の有機系固着剤を使用している。固定対象母材Ｃにアンカー孔Ｂを穿孔した後、ネジ部材１０をアンカー孔Ｂにネジ込む前に、二液を混合させた状態の固着剤をアンカー孔Ｂ内に注入しておく。あるいは、ネジ部材１０をアンカー孔Ｂにある程度ねじ込んだ後に、固着剤を注入してもよい。
【００５０】
また、結合剤Ａは、ガラスや樹脂製のカプセルに封入されたものを使用することもできる。カプセル（図示せず）を予めアンカー孔Ｂ内に挿入しておき、その状態でネジ部材１０をネジ込むことにより、先端部１４でカプセルを破壊して、内部の結合剤Ａを、ネジ部材１０の外面とアンカー孔Ｂの内面との間に充填させる。結合剤Ａが硬化すると、ネジ部材１０はアンカー孔Ｂ内に不動に固定され、図３の状態となる。
【００５１】
ここで、先端部１４の形状が上述のように先細りであれば、アンカー孔Ｂ内にネジ部材１０をネジ込む際の抵抗が減少するとともに、特に、結合剤Ａとしてカプセルに封入されたものを用いる際には、カプセルの破壊が円滑である。
【００５２】
また、ピンテール部１１と後端雄ネジ部１２との間は、やや小径の首部１１ｃとなっている。ネジ部材１０がアンカー孔Ｂ内に固着された後、ピンテール部１１に所定の回転トルクが加われば、その首部１１ｃを介してそれよりも先端側の部材からピンテール部１１が切断されるようになっている。
【００５３】
このため、固着剤が完全に硬化してネジ部材１０がアンカー孔Ｂ内に固着された後、電動のトルクレンチ等の工具を用いて、ネジ部材１０にネジ込み時と逆方向の回転トルクを加える。このとき、ピンテール部１１が切断されれば、所定のトルクが作用して要求される所定の強度が発揮されていることを確認することができる。すなわち、ここでは、いわゆるトルシア型ボルトの形態を採用しており、ネジ部材１０の後端のピンテール部１１に専用の締結機械を嵌めて軸周り回転させると、所定のトルクが作用した時点でピンテール部１１が破断してそれを知らせることができる。このため、施工後、ピンテール部１１が残っているか否かの外観によって、ネジ部材１０が固定対象母材Ｃに対して所定の定着強度を有しているかどうか検査の結果が確認できる。この検査は、上記のような電動の工具等を用いて行ってもよいし、手動のトルクレンチ等の工具を用いて手作業で行ってもよい。
【００５４】
従来のケミカル系アンカーでは、ネジ部材１０とアンカー孔Ｂの内面とは直接触れることなく、そのネジ部材１０の固定対象母材Ｃへの定着強度は、ほぼ結合剤Ａとネジ部材１０の外面、結合剤Ａとアンカー孔Ｂの内面との間の接着結合のみに基づいていた。このため、ネジ部材１０の固定対象母材Ｃに対する定着強度を確認するには、引き抜き試験を実施する以外に方法がなかった。
【００５５】
しかし、この発明によれば、煩雑な引き抜き試験を行うことなく、ネジ部材１０のトルク管理により容易に定着強度を確認できる。トルク管理による定着強度の確認であれば、容易に、短時間で全数調査も可能である。また、この実施形態では、ピンテール部１１の切断によってトルク管理が可能であるので、ネジ部材１０の打設と同時にトルク管理が完了し、別途の定着検査を不要とすることもできる。
【００５６】
このような定着強度管理の簡略化の効果は、アンカー孔Ｂ内でネジ部材１０の一部が拡径して、アンカー孔Ｂの内面に対して抜け止め機能を発揮する拡径式（打ち込み式）アンカーでは期待できるものではない。また、ネジ部材１０のネジ山部が、固定対象母材Ｃに食い込まない従来のケミカル式アンカーでも期待できるものではない。
【００５７】
ところで、上記の実施形態では、これらのネジ部材の固定構造に用いられるネジ部材として、ピンテール部１１を備えたものを採用したが、ピンテール部１１を備えないネジ部材１０を採用してもよい。
【００５８】
このとき、ネジ部材１０の定着強度管理方法として、例えば、以下の手法を採用することができる。
【００５９】
すなわち、ネジ部材１０は、その後端にトルク管理用操作部を備えたものとする。トルク管理用操作部としては、例えば、前述のピンテール部１１と同様のスプラインで構成してもよいし、本体雄ネジ部１３とは逆ネジとなる雄ネジ部または雌ネジ部で構成してもよい。
【００６０】
ネジ部材１０の打設後、結合剤Ａの硬化後において、トルク管理用操作部に、トルクレンチ等によって、本体雄ネジ部１３のネジ込みの際とは逆方向の軸周り回転力を付与することにより、その回転トルクによって、ネジ部材１０の固定対象母材Ｃに対する定着強度を評価することができる。すなわち、ネジ部材１０が、一定の回転トルクに耐え得る（回らない）ことを確認することにより、適正な定着強度を発揮していると確認できる定着強度管理方法である。
【００６１】
上記の実施形態では、ネジ部材１０として、固定対象母材Ｃのアンカー孔Ｂ内に入り込む先端側から順に、本体雄ネジ部１３、後端雄ネジ部１２、ピンテール部１１を備えるスクリューネジとしたが、アンカー孔Ｂの内面にネジ山が食い込む本体雄ネジ部１３を備えている限りにおいて、この実施形態には限定されない。ネジ部材１０として、例えば、後端雄ネジ部１２に代えて別の形状、機能からなる軸部を備えたアンカーボルト等であってもよい。
【００６２】
他の実施形態を図５（ａ）（ｂ）に示す。この実施形態は、溝部２０として、本体雄ネジ部１３の先端から後端に向かって伸びる第一の溝部２０ａと、前記本体雄ネジ部の前端から後端に向かって伸びて前記第一の溝部２０ａの長さよりも短い第二の溝部２０ｂとを備えたものを採用している。この例では、第一の溝部２０ａと第二の溝部２０ｂとを四本ずつ、４５°毎に交互に等分配置としている。
【００６３】
図５（ａ）は、溝部２０の深さが第一のネジ山部１３ａの山の高さよりも浅く設定されて、第二のネジ山部１３ｃの頂部には至らない深さとなっている例である。溝部２０の第一の溝部２０ａと第二の溝部２０ｂは、第一のネジ山部１３ａの頂部にのみ形成され、第二のネジ山部１３ｃや谷部１３ｂには、溝部２０は形成されていない。図５（ｂ）は、第二のネジ山部１３ｃや谷部１３ｂに至る溝部２０とした例である。溝部２０の第一の溝部２０ａと第二の溝部２０ｂは、第一のネジ山部１３ａだけでなく、第二のネジ山部１３ｃや谷部１３ｂにも形成されている。
【００６４】
これらの例では、特に先端寄りの部分において、第一の溝部２０ａと第二の溝部２０ｂとが軸周り方向に交互に並列する構成としたので、ネジ部材１０の外面とアンカー孔Ｂの内面との間の空間に対する結合剤Ａの充填がさらに円滑である。
【００６５】
さらに他の実施形態を、図６及び図７に示す。この実施形態は、溝部２０の形成を省略したものである。溝部２０の効果を期待しなくても、所定の定着強度を発揮できる仕様の場合は、このような実施形態を採用することも可能である。
【実験例】
【００６６】
実験例を図８〜図１１に示す。この実験例は、上記の構成からなるネジ部材の固定構造において、実際にネジ部材１０が、固定対象母材Ｃに対して所定の定着強度を有しているかを引き抜き試験により確認したものである。
【００６７】
試験片となるネジ部材１０は、呼び長さ１６０ｍｍ、本体外径ｄｓ＝１６．５５ｍｍ、本体軸径ｄｋ＝１２．６ｍｍのアンカーボルトＨＵＳ−Ｈ１４×６０／７０／８０／９０を使用した。材質は、炭素鋼ＤＩＮ  ＥＮ  １０２６３−４，１．５５２３（亜鉛メッキ５μｍ）である。
【００６８】
試験片Ｎｏ．１〜３０は、アンカー孔Ｂの深さ８０ｍｍにて、試験片Ｎｏ．３１〜６０は、アンカー孔Ｂの深さ１１０ｍｍにて実験を行った。試験片Ｎｏ．６１〜７０は、図８（ａ）に示すように、入口付近に角度約１５度の傾斜した内面を有する拡径部（傾斜孔）を設けたアンカー孔Ｂにて実験を行った。試験片Ｎｏ．７１〜８０は、図８（ｂ）に示すように、隣接する浅い穿孔部が連なって一体の孔（拡大孔）となったアンカー孔Ｂにて実験を行った。
【００６９】
図９に、実験例で使用する固定対象母材Ｃの試験体を示す。平面視８００ｍｍ四方の底面、高さ２５０ｍｍからなる正四角柱の底面に、４箇所のアンカー孔Ｂを穿孔し、その４箇所のアンカー孔Ｂに結合材Ａを注入後、ネジ部材１０のねじ込みを行った。コンクリートの目標基準強度は２４Ｎ／ｍｍ２、スランプ値は１２ｃｍ、粗骨材最大寸法は２５ｃｍ。内部には、鉄筋を配筋している。結合材Ａは、ＨＩＴ−ＲＥ５００エポキシ系接着剤、穿孔機械は、ハンマードリルＴＥ３０−Ｍ、ドリルビットはホロービットΦ１４、締め付け機械は、インパクトレンチＳＩＷ  ２２Ｔ−Ａである。
【００７０】
ネジ部材１０のアンカー孔Ｂへのねじ込み深さは、図１０の通りである。試験片Ｎｏ．１〜１０、Ｎｏ．２１〜３０、Ｎｏ．４１〜５０、Ｎｏ．６１〜８０のネジ部材１０の埋め込み深さは、７０ｍｍである。試験片Ｎｏ．１１〜２０、Ｎｏ．３１〜４０、Ｎｏ．５１〜６０のネジ部材１０の埋め込み深さは、１００ｍｍである。試験片Ｎｏ．１〜２０は下向き施工、試験片Ｎｏ．２１〜４０は横向き施工、試験片Ｎｏ．４１〜８０は上向き施工である。
【００７１】
図１１ａ〜図１１ｃに、その試験結果を示す。引き抜き試験には、ネジ部材１０の頭部を保持し、そのネジ部材１０に対して固定対象母材Ｃから引き抜く方向への力を付与する油圧試験機を用いた。試験開始からネジ部材１０が固定対象母材Ｃから抜けるまで、あるいは、固定対象母材Ｃのコンクリートが割れる時点まで載荷を続け、その荷重のメータ値を記録した。
【００７２】
下向き施工の試験片Ｎｏ．１〜２０、横向き施工のＮｏ．２１〜４０、上向き施工のＮｏ．４１〜６０、傾斜孔施工の試験片Ｎｏ．６１〜７０、拡大孔施工の試験片Ｎｏ．６１〜７０のいずれの試験体においても、ネジ部材１０と固定対象母材Ｃとの定着部ではなく、ネジ部材１０から一定距離離れた部分で固定対象母材Ｃ自身が破断するコーン破壊に至って実験を終了している。このため、ネジ部材１０と固定対象母材Ｃとの定着部の強度は、固定対象母材Ｃ自身の強度よりも上回っていることが確認できた。
【００７３】
なお、図１１ｃに示す試験片Ｎｏ．短１〜短１０は、アンカー孔Ｂの穿孔深さを８０ｍｍとし、そのうち深い部分４０ｍｍの区間にのみ結合材Ａを充填したものである。この実験においても、求められる所定の引き抜き強度は満たしていることが確認できた。
【符号の説明】
【００７４】
１０  ネジ部材（スクリューネジ）
１１  ピンテール部
１１ａ  山部
１１ｂ  谷部
１２  後端雄ネジ部
１２ａ  ネジ山部
１３  本体雄ネジ部
１３ａ  ネジ山部（第一のネジ山部）
１３ｂ  谷部
１３ｃ  ネジ山部（第二のネジ山部）
１４  先端部
１４ａ  側面
１４ｂ  端面
２０  溝部
２０ａ  第一の溝部
２０ｂ  第二の溝部
Ａ  結合剤
Ｂ  アンカー孔
Ｃ  固定対象母材（コンクリート）
Ｄ ネジ溝
【手続補正２】
【補正対象書類名】図面
【補正対象項目名】全図
【補正方法】変更
【補正の内容】
【図１】
2016056571.tif 000016
【図２】
2016056571.tif 000017
【図３】
2016056571.tif 000018
【図４】
2016056571.tif 000019
【図５】
2016056571.tif 000020
【図６】
2016056571.tif 000021
【図７】
2016056571.tif 000022
【図８】
2016056571.tif 000023
【図９】
2016056571.tif 000024
【図１０】
2016056571.tif 000025
【図１１ａ】
2016056571.tif 000026
【図１１ｂ】
2016056571.tif 000027
【図１１ｃ】
2016056571.tif 000028